(57)【要約】【課題】清拭効率が高くしかも使用性にすぐれ、極めて実用的なトイレの床用清拭具の提供。【課題の解決手段】先端部に面ファスナーを付設した柄と、前記面ファスナーを介して固着される弾性体と、この弾性体の底面を巻装する清拭布とからなり、かつ前記弾性体の側面及び／又は上面に前記清拭布を着脱自在に係止するための係止手段を設けたトイレの床用清拭具。【選択図】図１
2004242699.tif 000002
【特許請求の範囲】
【請求項１】
先端部に面ファスナーを付設した柄と、前記面ファスナーを介して固着される弾性体と、この弾性体の底面を巻装する清拭布とからなり、かつ前記弾性体の側面及び／又は上面に前記清拭布を着脱自在に係止するための係止手段を設けたことを特徴とするトイレの床用清拭具。
【請求項２】
弾性体が、スポンジ製であることを特徴とする請求項１に記載のトイレの床用清拭具。
【請求項３】
係止手段として、弾性体の側面に清拭布を挟持するための隙間を形成したことを特徴とする請求項１又は２に記載のトイレの床用清拭具。
【請求項４】
清拭布が、水解性の材質であることを特徴とする請求項１ないし３のいずれかに記載のトイレの床用清拭具。
【発明の詳細な説明】
【０００１】
【産業上の利用分野】
本発明は、トイレの床用清拭具の改良に関するものである。
【０００２】
【従来の技術】
従来より、清掃用物品としては、掃除機、はたき、ほうき、モップ、雑巾、化学雑巾等があり、目的、あるいはそれぞれの方法の長所、短所に応じて使い分けられてきた。このうち、家具類、電気器具、壁、サッシ、ブラインド、エアコン、置物等の清掃には、はたき、化学雑巾等の清拭布が手軽で広く普及している。一方、トイレの便器用としてはウエットティシュや柄付きのブラシなどが用いられているが、特にトイレの床の清掃を目的としたものはない。
ところで、トイレの床の場合、居室や台所などと異なり中腰やしゃがんで清掃しなければならないことが多いため、柄部分と清拭部は分離できるのが望ましく、また清拭布は使い捨てで交換が手軽であることが求められる。清掃具全般の使用性に関連して、最近、いくつかの提案がなされており、例えば、特開平１１−１３７４９６号公報に、柄の先端部に取り付けられた挟持スポンジとこのスポンジの表裏面を被覆する払拭布からなる清掃用具が開示されているが、柄の先端部と挟持スポンジは固定されたままである。また、特開２００１−７０２２４号公報に記載されている浴槽洗い具は、柄とスポンジ体を着脱可能に連結したものであるが、スポンジ体は支持体としてではなく浴槽を擦るために用いられるので本目的に合致しない。更に、特開２００２−１０８５４１号公報には、柄とその保持部とシート支持体とこれに面ファスナーを介して取り付けられる払拭シートからなる柄付き清掃用具が記載され、この清掃用具では保持部とシート支持体が着脱可能に構成されているものの、構造が複雑で使いにくく、取り外したシート支持体だけで清掃に供することはできない。このように、トイレの床用清拭具に適合するものであって、清拭効率が高くしかも使用性にすぐれるものは未だない。
【０００３】
【特許文献１】
特開平１１−１３７４９６号公報
【特許文献２】
特開２００１−７０２２４号公報
【特許文献３】
特開２００２−１０８５４１号公報
【０００４】
【発明が解決しようとする課題】
本発明は、清拭効率が高くしかも使用性にすぐれ、極めて実用的なトイレの床用清拭具を提供することを目的とする。
【０００５】
【課題を解決するための手段および発明の実施の形態】
上記課題を解決するため、本発明者らは、柄と、清拭布を巻装する弾性体とを面ファスナーを介して固着させるとともに、弾性体の側面及び／又は上面に清拭布を着脱自在に係止するための係止手段を設けることにより達成できることを知見し、本発明を完成した。
【０００６】
すなわち請求項１の発明は、先端部に面ファスナーを付設した柄と、前記面ファスナーを介して固着される弾性体と、この弾性体の底面を巻装する清拭布とからなり、かつ前記弾性体の側面及び／又は上面に前記清拭布を着脱自在に係止するための係止手段を設けたトイレの床用清拭具に関するものである。
【０００７】
本発明で用いられる柄は、直径１〜３ｃｍ、長さ１５〜４０ｃｍ程度の筒状部と、これと連結しかつ先端部に面ファスナーを付設したジョイント部からなっている。筒状部は、金属製、又はポリエチレン、ポリプロピレン、ポリスチレン、ポリエステル、ポリカーボネートなどのプラスチック樹脂製が使いやすく、その長さを伸縮できる構成を採用してもよい。また、ジョイント部の大きさや形状も特に限定されず、例えば、一辺が２〜８ｃｍ程度の方形底面に面ファスナーを貼付したブロック状のものを例示できる。更に、筒状部と面ファスナーの角度は、清掃作業上４０〜７０度、好ましくは５０〜６０度に設計するのが望ましいが、もちろん角度可変仕様を採用しても構わない。
【０００８】
本発明のトイレ用清拭具は、柄と弾性体を面ファスナーを介して着脱可能に固着し、また弾性体の側面及び／又は上面に清拭布を着脱自在に係止するための係止手段を設けたことに特徴を有する。
弾性体は、それ自体の材質が柄の面ファスナーと固着可能で、かつ柄を取り外してもそれ自体で清掃に供せられるスポンジ製が適している。弾性体の大きさは特に限定されないが、縦４〜１０ｃｍ、横８〜１５ｃｍ、高さ２〜６ｃｍ程度のものが使いやすい。
弾性体に設けられる清拭布係止手段としては、（１）弾性体の長手方向の側面に、清拭布を挟持するための割れ目状の隙間を全長にわたり形成する方法、（２）弾性体の上面端部に帯状の面ファスナーを貼付する方法などがあるが、（２）の場合、（１）の方法と比べると清拭布が幾分外れやすくコスト高となることが避けられないので（１）の係止手段が好ましい。また、（１）において、隙間の内側に更に面ファスナー小片を備え清拭布を仮固定させるようにしてもよい。
【０００９】
本発明で用いられる清拭布は、弾性体の底面に巻装した後、両先端部を弾性体に着脱可能に係止させる。清拭布の大きさは弾性体に比べて幾分大きめに設定すればよく、またその材質も何ら制限されない。例えば、木材パルプ、親水性繊維（レーヨン、綿等）やこれらと疎水性繊維（ポリエステル、ポリオレフィン等）との混成繊維などがあげられるが、使用後取り外して便器内に捨てられるよう水解性に改質されたものが好ましい。
【００１０】
請求項２の発明は、請求項１に記載のトイレの床用清拭具において、弾性体がスポンジ製のものである。
【００１１】
請求項３の発明は、請求項１又は２に記載のトイレの床用清拭具において、清拭布係止手段として、弾性体の側面に清拭布を挟持するための隙間を形成したものである。
【００１２】
請求項４の発明は、請求項１ないし３のいずれかに記載のトイレの床用清拭具において、水解性の材質の清拭布を用いたものである。
【００１３】
こうして得られた本発明のトイレの床用清拭具は、柄部分と弾性体が分離可能で弾性体だけでも清掃に使用できるため、どんな体勢の清掃作業にも対処でき清拭効率がよい。また、清拭布の交換も手軽で、特に水解性の清拭布の場合、使用後便器に流すこともできるので、その実用性は極めて高い。
【００１４】
【実施例】
次に、具体的実施例ならびに試験例に基づいて、本発明のトイレの床用清拭具を更に詳細に説明する。
【００１５】
実施例１
図１は本発明のトイレの床用清拭具の一例の斜視図を示す。
トイレの床用清拭具１は、柄２と弾性体３と清拭布４とから構成され、柄２は筒状部５と底面に面ファスナー６が貼付されたブロック状のジョイント部７からなっている。柄２とスポンジ製弾性体３は面ファスナー６を介して着脱可能に固定され、清拭布４の先端部は、弾性体３の側面に設けられた隙間８に挿入・係止されている。
本実施例では、面ファスナー６の面積を３×５ｃｍ、弾性体３の大きさを縦６ｃｍ×横１０ｃｍ×高さ３ｃｍとし、また清拭布４としては材質がレーヨン製で水解性のものを用いた。
この清拭具１をトイレの床の清掃に使用したところ、柄付きのまま床の汚れを拭き取れることはもちろん、柄２を取り外しスポンジ製弾性体３と清拭布４だけで便器の外側などをきれいにすることができ便利であった。また、清拭布４の交換も手軽で、使用後便器に流すこともできたので極めて実用的であった。
【００１６】
試験例１
実施例１に準じ、表１に示す各種清拭具を作製して清掃処理に供し、その清拭効率ならびに使用性を調べた。なお、清拭効率は以下の基準によった。
○：短時間で十分な清拭度、△：普通程度、×：不十分な程度
【００１７】
【表１】
2004242699.tif 000003
【００１８】
試験の結果、本発明のトイレの床用清拭具は、清拭効率、使用性ともにすぐれ、実用性の高いものであった。
これに対し、柄と弾性体が分離できないタイプ（比較例１）は、床以外の、例えば便器の外側部分などに適用できず、清拭効率が悪かった。また、比較例２のように、弾性体の替わりに剛性のプラスチック板を用いた通常のフロア用タイプは、トイレのような狭い空間では小回りが利かず使用性に大きな問題があった。
【００１９】
【発明の効果】
本発明のトイレの床用清拭具は、柄部分と弾性体が分離可能で弾性体だけでも清掃に使用できるため、どんな体勢の清掃作業にも対処でき清拭効率がよい。また、清拭布の交換も手軽で、特に水解性の清拭布の場合、使用後便器に流すこともできるので、その実用性は極めて高い。
【図面の簡単な説明】
【図１】本発明のトイレの床用清拭具の斜視図を示す。
【符号の説明】
１：トイレの床用清拭具、
２：柄、
３：弾性体、
４：清拭布、
５：筒状部、
６：面状ファスナー、
７：ジョイント部、
８：隙間
【図１】
2004242699.tif 000004